(57)【要約】【課題】筺体の載置面を叩くことにより同時に複数の表示装置を操作することができる表示装置システムを提供する。【解決手段】複数の表示装置を備える表示装置システムであって、前記表示装置２は、画像を表示する表示部２６と、他の表示装置における操作指示を検知する検知部２４と、前記検知部において検知した前記操作指示に基づいて前記表示部を制御する操作を実行する制御部２０とを備える。【選択図】図３
2011227267.tif 000002
【特許請求の範囲】
【請求項１】
複数の表示装置を備える表示装置システムであって、
前記表示装置は、
画像を表示する表示部と、
他の表示装置における操作指示を検知する検知部と、
前記検知部において検知した操作指示に基づいて前記表示部を制御する操作を実行する制御部と
を備えることを特徴とする表示装置システム。
【請求項２】
前記表示装置は、前記他の表示装置との間で通信を行う通信部を備え、
前記検知部は、前記通信部により受信した操作情報により前記他の表示装置における操作指示を検知することを特徴とする請求項１に記載の表示装置システム。
【請求項３】
前記表示装置は、前記他の表示装置の前記表示部により表示された表示画像の輝度を検出する輝度検出部を備え、
前記検知部は、前記輝度検出部で検出した輝度により前記他の表示装置における操作指示を検知することを特徴とする請求項１に記載の表示装置システム。
【請求項４】
前記他の表示装置の撮影部において撮影された表示画像に基づく画像情報を受信する受信部を備え、
前記検知部は、前記受信部により受信した画像情報により前記他の表示装置における操作指示を検知することを特徴とする請求項１に記載の表示装置システム。
【請求項５】
前記複数の表示装置は、一つの主表示装置と少なくとも一つの従表示装置を含み、
前記従表示装置の検知部は、前記主表示装置における操作指示を検知することを特徴とする請求項１〜４のいずれか一項に記載の表示装置システム。
【請求項６】
載置面の振動を検出する振動検出部と、
前記他の表示装置において検出した振動に関する情報を受信する振動情報受信部と、
前記振動検出部において検出した前記振動に関する情報と、前記振動情報受信部により受信した前記他の表示装置において検出した振動に関する情報とを比較する比較部とを備え、
前記比較部による比較の結果、前記振動検出部において検出した振動が最大である場合に、前記主表示装置として機能することを特徴とする請求項５に記載の表示装置システム。
【請求項７】
載置面の振動を検出する振動検出部と、
前記振動検出部において所定の振動パターンを検出した場合に、前記主表示装置として機能することを特徴とする請求項５記載の表示装置システム。
【請求項８】
載置面の振動を検出する振動検出部と、
前記振動検出部により検出した振動に基づく前記表示部を制御する操作指示と、前記検知部において検知した操作指示とを比較する比較部とを備え、
前記比較部による比較の結果、操作指示が一致する場合、前記振動検出部により検出した振動に基づく操作指示に基づいて操作を実行することを特徴とする請求項５に記載の表示装置システム。
【請求項９】
前記比較部による比較の結果、操作指示が一致する場合、前記検知部における検知を中止することを特徴とする請求項５に記載の表示装置システム。
【請求項１０】
前記比較部による比較の結果、操作指示が相違する場合、前記検知部における検知感度を変更することを特徴とする請求項５に記載の表示装置システム。
【請求項１１】
前記表示部は、前記画像を投影する投影部であることを特徴とする請求項１〜１０のいずれか一項に記載の表示装置システム。
【発明の詳細な説明】
【技術分野】
【０００１】
本発明は、表示装置システムに関するものである。
【背景技術】
【０００２】
打指により操作を行う装着型コマンド入力装置が知られている（例えば、特許文献１参照）。この入力装置によれば、直接機器に触れることなく操作を行うことができる。
【先行技術文献】
【特許文献】
【０００３】
【特許文献１】特開２０００−３２２１８６号公報
【発明の概要】
【発明が解決しようとする課題】
【０００４】
しかし、上述の装着型コマンド入力装置においては、装置を人体につけなければ操作を行うことができなかった。
【０００５】
本発明の目的は、筺体の載置面を叩くことにより同時に複数の表示装置を操作することができる表示装置システムを提供することである。
【課題を解決するための手段】
【０００６】
本発明の表示装置システムは、複数の表示装置を備える表示装置システムであって、前記表示装置は、画像を表示する表示部と、他の表示装置における操作指示を検知する検知部と、前記検知部において検知した前記操作指示に基づいて前記表示部を制御する操作を実行する制御部とを備えることを特徴とする。
【発明の効果】
【０００７】
本発明の表示装置システムによれば、筺体の載置面を叩くことにより同時に複数の表示装置を操作することができる。
【図面の簡単な説明】
【０００８】
【図１】第１の実施の形態に係るプロジェクタシステムを構成するプロジェクタの配置位置を示す図である。
【図２】第１の実施の形態に係るプロジェクタシステムを構成するプロジェクタの投影状態を示す斜視図である。
【図３】第１の実施の形態に係るプロジェクタシステムを構成するプロジェクタの構成を示すブロック図である。
【図４】第１の実施の形態に係るプロジェクタシステムを構成するプロジェクタの加速度センサの配置位置を示す図である。
【図５】第１の実施の形態に係るプロジェクタシステムを構成するプロジェクタの処理を示すフローチャートである。
【図６】第１の実施の形態に係るプロジェクタシステムを構成するプロジェクタの処理を示すフローチャートである。
【図７】第１の実施の形態に係る他のプロジェクタシステムを構成するプロジェクタの配置位置を示す図である。
【図８】第１の実施の形態に係る他のプロジェクタシステムを構成するプロジェクタの配置位置を示す図である。
【図９】第２の実施の形態に係るプロジェクタシステムを構成するプロジェクタにおける輝度検出状態を示す図である。
【図１０】第２の実施の形態に係るプロジェクタシステムを構成するプロジェクタの構成を示すブロック図である。
【図１１】第２の実施の形態に係るプロジェクタシステムを構成するプロジェクタの処理を示すフローチャートである。
【図１２】第２の実施の形態に係るプロジェクタシステムを構成するプロジェクタの処理を示すフローチャートである。
【図１３】第２の実施の形態に係るプロジェクタシステムを構成するプロジェクタにおける輝度検出状態を示す図である。
【図１４】第３の実施の形態に係るプロジェクタシステムを構成するプロジェクタの投影状態及び撮影状態を示す図である。
【図１５】第３の実施の形態に係るプロジェクタシステムを構成するプロジェクタの構成を示すブロック図である。
【図１６】第３の実施の形態に係るプロジェクタシステムを構成するプロジェクタの処理を示すフローチャートである。
【図１７】第３の実施の形態に係るプロジェクタシステムを構成するプロジェクタの処理を示すフローチャートである。
【発明を実施するための形態】
【０００９】
以下、図面を参照して本発明の第１の実施の形態に係るプロジェクタシステムについて説明する。図１は、第１の実施の形態に係るプロジェクタシステム１を構成するプロジェクタの配置位置を示す図である。図１に示すように、プロジェクタシステム１は、プロジェクタ２ａ、プロジェクタ２ｂ、プロジェクタ２ｃ、プロジェクタ２ｄを有している。プロジェクタ２ａ〜２ｄは、図１に示すように机６の載置面Ｇにそれぞれ載置され、各プロジェクタ２ａ〜２ｄはネットワーク３により接続されている。このプロジェクタシステム１において、操作者は指７で載置面Ｇを叩くことにより各プロジェクタ２ａ〜２ｄを操作することができる。例えば、指７で載置面Ｇを叩くことにより、プロジェクタ２ａに投影画像８ａを、プロジェクタ２ｂに投影画像８ｂを、プロジェクタ２ｃに投影画像８ｃを、プロジェクタ２ｄに投影画像８ｄを載置面Ｇに投影させることができる。
【００１０】
図２は、第１の実施の形態に係るプロジェクタシステム１を構成するプロジェクタ２ａの投影状態を示す斜視図である。プロジェクタ２ａの筐体９の前面には、載置面Ｇに対して投影画像８ａの投影を行うための投影窓１０が設けられている。なお、プロジェクタ２ｂ〜２ｄについても同様に筐体９の前面に投影画像８ｂ〜８ｄの投影を行うための投影窓１０が設けられている。
【００１１】
図３は、第１の実施の形態に係るプロジェクタシステム１を構成するプロジェクタ２ａの構成を示すブロック図である。なお、プロジェクタ２ｂ〜２ｄの構成はプロジェクタ２ａの構成同一であるため説明を省略する。プロジェクタ２ａはＣＰＵ２０を備え、ＣＰＵ２０には、自己のプロジェクタを主プロジェクタとして特定する特定ボタン２２、机６の載置面Ｇの法線方向の加速度を検出する加速度センサ２４、投影画像８ａを載置面Ｇに投影する投影部２６、投影部２６により投影される投影画像８ａの画像データに対して画質の補正等を行う画像処理部３６、投影画像８ａ等の種々のデータを記憶するメモリカード３８、プロジェクタシステム１を構成するプロジェクタ間で主プロジェクタを特定する特定情報や各プロジェクタにおける操作内容を示す操作情報等の送受信を行う通信部４０が接続されている。ここで、投影部２６は、光源であるＬＥＤ光源２８の点灯、消灯及びＬＥＤ光源２８から射出される投影光の光量を調節する電源制御部３０、投影画像を表示するＬＣＯＳ３２の制御を行う投影制御部３４を備えている。
【００１２】
図４は、第１の実施の形態に係るプロジェクタシステム１を構成するプロジェクタ２ａの加速度センサ２４の配置位置を示す図である。なお、プロジェクタ２ｂ〜２ｄにおける加速度センサ２４の配置位置はプロジェクタ２ａと同一であるため説明を省略する。加速度センサ２４は、筐体９の底面に配置され、直接机６に接触している。これにより、加速度センサ２４は、筐体９に作用する加速度の中で机６の載置面Ｇの法線方向１４に作用する加速度を検出する。
【００１３】
次に、図５のフローチャートを参照して、第１の実施の形態に係るプロジェクタシステム１を構成するプロジェクタ２ａの処理について説明する。まず、図１に示すように、プロジェクタ２ａ〜２ｄが載置面Ｇの所定の位置に載置された状態においてプロジェクタ２ａの特定ボタン２２が操作されると、プロジェクタ２ａが主プロジェクタとして特定され（ステップＳ１）、プロジェクタ２ａのＣＰＵ２０は、特定情報を生成する（ステップＳ２）。なお、プロジェクタ２ａは、特定ボタン２２が操作されたことにより主プロジェクタとして機能する。次に、プロジェクタ２ａのＣＰＵ２０は、通信部４０及びネットワーク３を介して他のプロジェクタ２ｂ〜２ｄに対して特定情報を送信する（ステップＳ３）。
【００１４】
ここで、載置面Ｇが指７で叩かれ、加速度センサ２４において加速度が検出されると、プロジェクタ２ａのＣＰＵ２０は、検出した加速度の振動パターンが所定の振動パターンであるか否かの判定を行う（ステップＳ４）。例えば、所定の期間内に検出した加速度の強度の波形が所定の波形であるか否かを識別することにより判定を行う。なお、所定の期間及び所定の波形については、操作者が任意に設定することができる。検出した加速度の振動パターンが所定の振動パターンでなかった場合には判定を繰り返し（ステップＳ４：Ｎｏ）、所定の振動パターンであった場合（ステップＳ４：Ｙｅｓ）、プロジェクタ２ａのＣＰＵ２０は、振動パターンに基づいて操作情報の生成を行う（ステップＳ５）。例えば、振動パターンが２つのパルスが連続する加速度の強度の波形パターンである場合は、次の画像を表示する旨の操作情報を生成する。
【００１５】
次に、プロジェクタ２ａのＣＰＵ２０は、通信部４０及びネットワーク３を介して他のプロジェクタ２ｂ〜２ｄに対して操作情報を送信する（ステップＳ６）。操作情報を送信すると、ＣＰＵ２０は、プロジェクタ２ａにおいて検出した加速度の振動パターンに基づいてプロジェクタ２ａの操作を実行する（ステップＳ７）。例えば、振動パターンが２つのパルスが連続する加速度の強度の波形パターンである場合は、次の画像を表示する。
【００１６】
次に、図６のフローチャートを参照して、第１の実施の形態に係るプロジェクタシステム１を構成するプロジェクタ２ｂの処理について説明する。プロジェクタ２ｃ、２ｄについても図６のフローチャートに示すように処理が行われる。まず、プロジェクタ２ｂのＣＰＵ２０は、主プロジェクタであるプロジェクタ２ａから通信部４０を介して特定情報を受信する（ステップＳ１１）。ここで、プロジェクタ２ｂは、プロジェクタ２ａから特定情報を受信したことにより従プロジェクタとして機能する。次に、載置面Ｇが指７で叩かれ、加速度センサ２４において加速度が検出されると、プロジェクタ２ｂのＣＰＵ２０は、検出した加速度の振動パターンが所定の振動パターンであるか否かの判定を行う（ステップＳ１２）。検出した加速度の振動パターンが所定の振動パターンでなかった場合には判定を繰り返し（ステップＳ１２：Ｎｏ）、所定の振動パターンであった場合（ステップＳ１２：Ｙｅｓ）、プロジェクタ２ｂのＣＰＵ２０は、振動パターンに基づいて操作情報の生成を行う（ステップＳ１３）。
【００１７】
次に、プロジェクタ２ｂのＣＰＵ２０は、通信部４０を介して主プロジェクタであるプロジェクタ２ａから操作情報を受信し（ステップＳ１４）、自己のプロジェクタ２ｂにおいて生成した操作情報の操作内容と、プロジェクタ２ａから受信した操作情報の操作内容とが一致するか否かの判定を行う（ステップＳ１５）。操作内容が一致しなかった場合（ステップＳ１５：Ｎｏ）、プロジェクタ２ｂのＣＰＵ２０は、主プロジェクタから受信した操作情報の操作内容に基づいて操作を実行する（ステップＳ１６）。例えば、プロジェクタ２ｂにおいて生成した操作情報の操作内容が次の画像の表示であり、主プロジェクタであるプロジェクタ２ａから受信した操作情報の操作内容が投影の中止であった場合、プロジェクタ２ｂのＣＰＵ２０は、主プロジェクタであるプロジェクタ２ａにおける操作情報の操作内容を優先して投影部２６に投影中止の指示を行い、投影画像８ｂの投影を中止する。一方、操作内容が一致した場合（ステップＳ１５：Ｙｅｓ）、プロジェクタ２ｂのＣＰＵ２０は、通信部４０を制御して主プロジェクタとの通信を中止し（ステップＳ１７）、自己の加速度センサ２４において検出した加速度の振動パターンに基づいて操作を実行する（ステップＳ１８）。
【００１８】
この第１の実施の形態に係るプロジェクタシステム１によれば、筐体９の載置面Ｇを指７で叩くことにより同時に複数のプロジェクタ２ａ〜２ｄを操作することができる。また、自己のプロジェクタにおいて生成した操作情報の操作内容と、主プロジェクタから受信した操作情報の操作内容とが異なる場合には、主プロジェクタから受信した操作情報の操作内容を優先して操作を実行することにより、各プロジェクタの操作内容を統一することができる。また、自己のプロジェクタにおいて生成した操作情報の操作内容と、主プロジェクタから受信した操作情報の操作内容とが一致する場合には、主プロジェクタとの通信を中止することにより省電力を実現することができる。
【００１９】
なお、上述の第１の実施の形態においては、プロジェクタ２ａを主プロジェクタとして特定した場合を例に説明しているが、プロジェクタ２ａ以外のプロジェクタを主プロジェクタとして特定してもよい。
【００２０】
また、上述の第１の実施の形態においては、特定ボタン２２を操作することにより主プロジェクタを特定しているが、加速度センサ２４で検出した加速度の強度（振動の強度）に基づいて主プロジェクタを特定するようにしてもよい。例えば、プロジェクタ２ａは、プロジェクタ２ｂ〜２ｄから加速度の強度の最大値に関するデータを受信し、プロジェクタ２ａの加速度センサ２４で検出した加速度の強度の最大値と比較する。比較の結果、自己のプロジェクタ２ａの加速度センサ２４で検出した加速度の強度の最大値が最も大きい場合には、自己のプロジェクタを主プロジェクタとして機能させるようにしてもよい。この場合、プロジェクタ２ｂ〜２ｄは、自己のプロジェクタの加速度センサ２４で検出した加速度の強度の最大値よりもプロジェクタ２ａから受信した加速度の強度の最大値の方が大きいため従プロジェクタとして機能する。プロジェクタ２ａ以外のプロジェクタが加速度の強度の最大値に関するデータを受信した場合についても同様である。これらの場合において、加速度の強度は振動源に近い位置程大きくなることから、操作者は、指７で叩いた位置から最も近い場所に位置するプロジェクタを主プロジェクタとして機能させることができる。
【００２１】
また、上述の第１の実施の形態において、自己のプロジェクタにおいて生成した操作情報の操作内容が、主プロジェクタから受信した操作情報の操作内容と異なる場合には、加速度センサ２４における加速度の検出感度を変更するようにしてもよい。例えば、加速度センサ２４の検出感度が低く、加速度を正確に検出できなかったために、自己のプロジェクタにおいて生成した操作情報の操作内容が、主プロジェクタから受信した操作情報の操作内容と異なってしまう場合が考えられる。このような場合に、加速度センサ２４の検出感度を上げるようにしてもよい。これにより、各プロジェクタ２ａ〜２ｄにおいて正確に加速度を検出し、加速度の振動パターンを判定することができる。また、各プロジェクタにおいて検出した加速度の振動パターンが同一である場合、プロジェクタ２ａ〜２ｄにおいて通信を行う必要がないため、省電力を実現することができる。
【００２２】
また、上述の第１の実施の形態においては、図１に示すように、各プロジェクタ２ａ〜２ｄを同一の机６に載置しているが、プロジェクタごとに別々の机に載置するようにしてもよい。例えば、図７に示すように、プロジェクタ２ａを机６ａに、プロジェクタ２ｂを机６ｂに、プロジェクタ２ｃを机６ｃに、プロジェクタ２ｄを机６ｄに載置するようにしてもよい。このように、各プロジェクタを別々の机６に載置した場合においても、ネットワーク３により上述の第１の実施の形態と同様の情報の通信を行うことにより複数のプロジェクタ２ａ〜２ｄを同時に操作することができる。なお、この場合、一つの机において検出した加速度が所定の振動パターンであった場合に、その机に載置されているプロジェクタを主プロジェクタとして機能させるようにしてもよい。例えば、机６ａを５回連続して指７で叩いた場合に、プロジェクタ２ａを主プロジェクタとして機能させることができるようにしてもよい。この場合には、プロジェクタ２ａからプロジェクタ２ｂ〜２ｄに対して、上述の第１の実施の形態と同様な特定情報が送信されるため、プロジェクタ２ｂ〜２ｄは従プロジェクタとして機能する。
【００２３】
また、上述の第１の実施の形態において、図８に示すように、各プロジェクタが各々の加速度センサ２４で検出した加速度の強度に基づいて独立して操作を実行するようにしてもよい。
【００２４】
また、上述の第１の実施の形態において、プロジェクタシステム１を構成するプロジェクタ２ａ〜２ｄのうち、一部のプロジェクタを一つのグループとしてグループ化できるようにしてもよい。例えば、図１において、プロジェクタ２ａとプロジェクタ２ｂとを一つのグループとしてグループ化し、プロジェクタ２ａが主プロジェクタである場合において、各プロジェクタ２ｂ〜２ｄにおいて生成した操作情報の操作内容がすべて異なっていたとする。このような場合、プロジェクタ２ａのグループに属するプロジェクタ２ｂは、主プロジェクタであるプロジェクタ２ａから受信した操作情報の操作内容に基づいて操作を行う。一方、プロジェクタ２ｃとプロジェクタ２ｄは、各々の加速度センサ２４で検出した加速度の振動パターンに基づいて操作を実行する。なお、グループ化の方法としては、例えば、各プロジェクタ２ａ〜２ｄにそのプロジェクタがグループに属することを指定するグループボタンを設け、グループボタンが操作されたプロジェクタのＣＰＵ２０は、グループ情報を生成し、通信部４０及びネットワーク３を介して他のプロジェクタに対してグループ情報を送信する。そして、グループボタンが操作されたプロジェクタは、グループ情報を受信した場合に、グループ情報の送信を行なったプロジェクタと同一のグループに属するプロジェクタとして機能する。一方、グループ情報を受信し、かつ、グループボタンが操作されていないプロジェクタは、グループに属しないプロジェクタとして機能する。また、各プロジェクタ２ａ〜２ｄに投影画像８ａ〜８ｄ上に指７が差し込まれたことを検出する指検出部を設け、指７を検出した複数のプロジェクタを一つのグループとしてグループ化するようにしてもよい。即ち、指７を検出したプロジェクタのＣＰＵ２０は、グループ情報を生成し、通信部４０及びネットワーク３を介して他のプロジェクタに対してグループ情報を送信する。そして、指７を検出したプロジェクタは、グループ情報を受信した場合に、グループ情報の送信を行なったプロジェクタと同一のグループに属するプロジェクタとして機能する。一方、グループ情報を受信し、かつ、指７を検出していないプロジェクタは、グループに属しないプロジェクタとして機能する。
【００２５】
次に、図面を参照して本発明の第２の実施の形態に係るプロジェクタシステム１００について説明する。この第２の実施の形態に係るプロジェクタシステム１００は、図９に示すように、プロジェクタ２ａ、プロジェクタ２ｂを有し、プロジェクタ２ｂに投影画像８ｂ周辺の輝度検出エリア４８における載置面Ｇの輝度の変化を検出する機能を追加したものである。ここで、プロジェクタ２ｂは、輝度検出エリア４８のいずれか一つが隣接して設置されているプロジェクタ２ａの投影画像８ａ上に位置するように配置されている。従って、第１の実施の形態と同一の構成についての詳細な説明は省略し、異なる部分のみについて詳細に説明する。また、第１の実施の形態と同一の構成には同一の符号を付して説明する。
【００２６】
図１０は、第２の実施の形態に係るプロジェクタシステム１００を構成するプロジェクタ２ｂの構成を示すブロック図である。プロジェクタ２ｂはＣＰＵ２０を備え、プロジェクタ２ｂのＣＰＵ２０には、輝度の変化に基づいてプロジェクタ２ｂを操作する輝度モードを設定する輝度検出ボタン５０、載置面Ｇにおける所定のエリアの輝度の変化を検出する輝度センサ５２が接続されている。なお、他の構成については、プロジェクタシステム１のプロジェクタ２ｂと同一である。また、この実施の形態において、プロジェクタシステム１００を構成するプロジェクタ２ａは、プロジェクタシステム１００におけるプロジェクタ２ｂの構成から輝度検出ボタン５０及び輝度センサ５２を省略したものである。
【００２７】
次に、図１１のフローチャートを参照して、第２の実施の形態に係るプロジェクタシステム１００を構成するプロジェクタ２ａの処理について説明する。まず、図９に示すように、プロジェクタ２ａが机６の載置面Ｇに載置された状態において、机６の載置面Ｇが指７で叩かれると、プロジェクタ２ａの加速度センサ２４において加速度が検出され、プロジェクタ２ａのＣＰＵ２０は、検出した加速度の振動パターンが所定の振動パターンであるか否かの判定を行う（ステップ２１）。検出した加速度の振動パターンが所定の振動パターンでなかった場合には判定を繰り返し（ステップＳ２１：Ｎｏ）、所定の振動パターンであった場合（ステップＳ２１：Ｙｅｓ）、ＣＰＵ２０は、振動パターンに基づいて投影部２６を制御する操作を実行する（ステップ２２）。
【００２８】
次に、図１２のフローチャートを参照して、第２の実施の形態に係るプロジェクタシステム１００を構成するプロジェクタ２ｂの処理について説明する。まず、プロジェクタ２ｂにおいて輝度検出ボタン５０が操作されると、プロジェクタ２ｂのＣＰＵ２０は、プロジェクタ２ｂを輝度モードに移行する（ステップＳ３１）。次に、プロジェクタ２ｂのＣＰＵ２０は、輝度検出エリア４８の輝度が所定の範囲を超えて変化したか否かの判定を行う（ステップＳ３２）。例えば、図９に示すように、プロジェクタ２ｂがプロジェクタ２ａと隣接して載置されている状態において、プロジェクタ２ａにより投影画像８ａが載置面Ｇに表示されると、輝度検出エリア４８が急激に明るくなる。このような場合に、輝度検出エリア４８の輝度が所定の範囲を超えて変化したと判定される。なお、所定の範囲については、操作者が任意に設定することができる。
【００２９】
輝度検出エリア４８の輝度が所定の範囲を超えて変化しなかった場合には判定を繰り返し（ステップＳ２２：Ｎｏ）、所定の範囲を超えて変化した場合には（ステップＳ３２：Ｙｅｓ）、ＣＰＵ２０は、プロジェクタ２ｂの投影部２６を制御する操作を実行する（ステップＳ３３）。例えば、プロジェクタ２ｂのＣＰＵ２０は、投影部２６に投影開始の指示を行い載置面Ｇに投影画像８ｂを表示する。
【００３０】
この第２の実施の形態に係るプロジェクタシステム１００によれば、輝度検出エリア４８の輝度の変化を検出することにより、同時に複数のプロジェクタを連動させて操作することができる。
【００３１】
なお、上述の第２の実施の形態においては、プロジェクタ２ａが振動パターンに基づいて投影画像８ａを投影し、プロジェクタ２ｂが投影画像８ａの輝度の変化を検出しているが、プロジェクタ２ａとプロジェクタ２ｂとを入れ替えてもよい。
【００３２】
また、上述の第２の実施の形態においては、輝度検出ボタン５０を操作することによりプロジェクタ２ｂを輝度モードに移行しているが、加速度センサ２４において検出した加速度の振動パターンが所定の振動パターンである場合にプロジェクタを輝度モードに移行するようにしてもよい。
【００３３】
また、上述の第２の実施の形態においては、プロジェクタ２ｂが輝度検出ボタン５０、輝度センサ５２を備えているが、プロジェクタシステム１００を構成する全てのプロジェクタが輝度検出ボタン５０、輝度センサ５２を備えるようにしてもよい。この場合、例えば、プロジェクタシステム１００が４つのプロジェクタ２ａ〜２ｄを有しており、プロジェクタ２ａ〜２ｄが隣接して机６に載置されている場合には、一つのプロジェクタ２ａの輝度検出エリア４８を懐中電灯などで照らすことにより、同時に複数のプロジェクタ２ａ〜２ｄを連動させて操作することができる。
【００３４】
また、上述の第２の実施の形態において、図１３に示すように、プロジェクタ２ａにより表示される投影画像８ａと、プロジェクタ２ｂにより表示される投影画像８ｂが重なって表示されてもよい。このような場合であっても、投影画像８ａがプロジェクタ２ｂの輝度検出エリア４８内に表示されることにより、プロジェクタ２ｂは輝度検出エリア４８において輝度の変化を検出することができ、輝度の変化に基づいてプロジェクタ２ｂの操作を実行することができる。
【００３５】
また、上述の第２の実施の形態においては、輝度が変化する例として、投影画像８ａがプロジェクタ２ｂの輝度検出エリア４８に表示された場合を例に説明しているが（図９参照）、輝度検出エリア４８に次の投影画像８ａが表示されることにより、輝度検出エリア４８が明るくなった場合などに輝度が変化したと判定してもよい。また、輝度の変化は、輝度検出エリア４８が明るくなる場合に限らず、暗くなる場合であってもよい。
【００３６】
次に、図面を参照して本発明の第３の実施の形態に係るプロジェクタシステム１０１について説明する。この第３の実施の形態に係るプロジェクタシステム１０１は、第１の実施の形態に係るプロジェクタシステム１の構成に、全てのプロジェクタ２ａ〜２ｄにおいて、投影画像８ａ〜８ｄの画質を均一に保つ機能を追加したものである。従って、第１の実施の形態と同一の構成についての詳細な説明は省略し、異なる部分のみについて詳細に説明する。また、第１の実施の形態と同一の構成には同一の符号を付して説明する。
【００３７】
図１４は、第３の実施の形態に係るプロジェクタシステム１０１を構成するプロジェクタ２ａの投影状態及び投影画像８ａの撮影状態を示す図である。プロジェクタ２ａの筐体９の投影窓１０の上には、投影画像８ａを撮影するカメラ５６が設けられている。なお、プロジェクタ２ｂ〜２ｄについても筐体９の投影窓１０の上に投影画像８ｂ〜８ｄを撮影するカメラ５６が設けられている。
【００３８】
図１５は、第３の実施の形態に係るプロジェクタシステム１０１を構成するプロジェクタ２ａの構成を示すブロック図である。なお、プロジェクタシステム１０１を構成するプロジェクタ２ｂ〜２ｄの構成はプロジェクタ２ａの構成と同一であるため説明を省略する。プロジェクタ２ａはＣＰＵ２０を備え、プロジェクタ２ａのＣＰＵ２０には、カメラ５６が接続されている。なお、他の構成については、プロジェクタシステム１のプロジェクタ２ａと同一である。
【００３９】
次に、図１６のフローチャートを参照して、第３の実施の形態に係るプロジェクタシステム１０１を構成するプロジェクタ２ａの処理について説明する。まず、プロジェクタ２ａ〜２ｄが載置面Ｇの所定の位置に載置された状態において（図１参照）プロジェクタ２ａが主プロジェクタとして特定され、プロジェクタ２ａの操作が実行されると（図５参照）、プロジェクタ２ａのＣＰＵ２０は、カメラ５６により投影画像８ａの撮影を開始する（ステップＳ４１）。
【００４０】
次に、プロジェクタ２ａのＣＰＵ２０は、カメラ５６により撮影された投影画像８ａの画像データから画質情報を生成する（ステップＳ３２）。ここで、画質情報とは、例えば、投影画像８ａの輝度、色温度、色調、解像度等に関する情報である。次に、プロジェクタ２ａのＣＰＵ２０は、通信部４０及びネットワーク３を介して他のプロジェクタ２ｂ〜２ｄに対して画質情報を送信する（ステップＳ４３）。
【００４１】
次に、図１７のフローチャートを参照して、第３の実施の形態に係るプロジェクタシステム１０１を構成するプロジェクタ２ｂの処理について説明する。プロジェクタ２ｃ、２ｄについても図１７のフローチャートに示すように処理が行われる。まず、プロジェクタ２ｂが主プロジェクタであるプロジェクタ２ａから操作情報を受信し、受信した操作情報の操作内容に基づいて投影部２６を制御する操作が実行されると（図６参照）、プロジェクタ２ｂのＣＰＵ２０は、カメラ５６により投影画像８ｂの撮影を開始する（ステップＳ５１）。
【００４２】
次に、プロジェクタ２ｂのＣＰＵ２０は、カメラ５６により撮影された投影画像８ｂの画像データから画質情報を生成する（ステップＳ５２）。画質情報を生成すると、プロジェクタ２ｂのＣＰＵ２０は、主プロジェクタであるプロジェクタ２ａから通信部４０を介してプロジェクタ２ａにおいて生成された画質情報を受信し（ステップＳ５３）、自己のプロジェクタ２ｂにおいて生成した画質情報の内容と、プロジェクタ２ａから受信した画質情報の内容とが一致するか否かの判定を行う（ステップＳ５４）。
【００４３】
画質情報の内容が一致しなかった場合（ステップＳ５４：Ｎｏ）、プロジェクタ２ｂのＣＰＵ２０は、画像処理部３６を制御して、プロジェクタ２ａから受信した画質情報に基づいて投影画像８ｂの画質を補正する（ステップＳ５５）。例えば、プロジェクタ２ａから受信した画質情報に基づく輝度と、プロジェクタ２ｂにおいて生成した画質情報に基づく輝度が異なり、投影画像８ａよりも投影画像８ｂが暗く表示されている場合には、画像処理部３６において投影画像８ｂを明るくする補正を行う。なお、画質情報が一致した場合（ステップＳ５４：Ｙｅｓ）、プロジェクタ２ｂのＣＰＵ２０は、投影画像８ｂの画質について補正を行わない。
【００４４】
この第３の実施の形態に係るプロジェクタシステム１０１によれば、投影画像８ａ〜８ｄの画質を均一に保ちながら、同時に複数のプロジェクタ２ａ〜２ｄを操作することができる。プロジェクタ２ａ以外のプロジェクタが主プロジェクタとして特定されている場合においても同様である。
【００４５】
なお、上述の第３の実施の形態においては、プロジェクタ２ａが主プロジェクタとして特定されている場合を例に説明しているが、プロジェクタ２ａ以外のプロジェクタが主プロジェクタとして特定された場合であってもよい。
【００４６】
また、上述の第３の実施の形態においては、主プロジェクタであるプロジェクタ２ａの投影画像８ａの画質を基準に、他のプロジェクタ２ｂ〜２ｄの投影画像８ａ〜８ｄの画質を補正しているが、主プロジェクタの投影画像８ａの画質を基準にしなくてもよい。例えば、最も明るい輝度を有する画質情報に基づいてすべての投影画像８ａ〜８ｄの輝度を補正するようにしてもよい。
【００４７】
また、上述の第３の実施の形態において、投影画像８ａ〜８ｄの画質の補正として、色再現域の補正、コントラストの補正、ガンマ補正等を行ってもよい。
【００４８】
また、上述の各実施の形態においては、加速度センサ２４により筐体９に作用する加速度を検出しているが、振動を検出する機能を備えたセンサであれば種類は問わない。例えば、筐体９の底面にマイクを配置し、マイクにより載置面Ｇの音声の振動を検出するようにしてもよい。
【００４９】
また、上述の各実施の形態においては、加速度センサ２４は直接机６に接触しているが、間接的に机６に接触するようにしてもよい。例えば、筐体９を構成する剛体である部材を介して机６に接触するようにしてもよい。
【００５０】
また、上述の各実施の形態においては、筐体９及び机６の材質を明記していないが、加速度センサ２４が筐体９に作用する加速度を検出し、ＣＰＵ２０が検出した加速度の強度に基づいてプロジェクタ２の操作を行うことができれば筐体９及び机６の材質は問わない。
【００５１】
また、上述の各実施の形態においては、机６の載置面Ｇに投影画像の投影を行っているが、投影画像は、壁や床など、他の平面に投影してもよい。また、球のような曲面体や移動物体などに投影してもよい。
【００５２】
また、上述の各実施の形態においては、表示装置としてプロジェクタを例に説明したが、筐体の載置面を叩くことにより操作を行う機能を備えていれば、デジタルフォトフレームやデジタルカメラ等、他の表示装置においても本発明を適用することができる。
【符号の説明】
【００５３】
１，１００，１０１…プロジェクタシステム、２ａ、２ｂ、２ｃ、２ｄ…プロジェクタ、３…ネットワーク、６…机、７…指、８ａ、８ｂ、８ｃ、８ｄ…投影画像、９…筐体、１０…投影窓、２０…ＣＰＵ、２２…特定ボタン、２４…加速度センサ、２６…投影部、３８…メモリカード、５０…輝度検出ボタン、５２…輝度センサ、５６…カメラ。
【図１】
2011227267.tif 000003
【図２】
2011227267.tif 000004
【図３】
2011227267.tif 000005
【図４】
2011227267.tif 000006
【図５】
2011227267.tif 000007
【図６】
2011227267.tif 000008
【図７】
2011227267.tif 000009
【図８】
2011227267.tif 000010
【図９】
2011227267.tif 000011
【図１０】
2011227267.tif 000012
【図１１】
2011227267.tif 000013
【図１２】
2011227267.tif 000014
【図１３】
2011227267.tif 000015
【図１４】
2011227267.tif 000016
【図１５】
2011227267.tif 000017
【図１６】
2011227267.tif 000018
【図１７】
2011227267.tif 000019